(57)【要約】【課題】ノイズフィルタのようなハードウエアを設ける必要なく、ノイズに伴う漏電の誤検出を低減する。【解決手段】漏電を検出するための漏電検出装置４０に、漏電が発生した時に漏電信号を発生させる漏電信号発生手段としてのＺＣＴコイル（零相変流器）４７と、ＺＣＴコイル（零相変流器）４７から送られた漏電信号がノイズであるか否かを判定するための判定手段４８Ａとを設けた。詳細には、ＺＣＴコイル（零相変流器）４７から送られた漏電信号に含まれるノイズを除去するためのハードウエアとしてノイズフィルタが設けられるのではなく、ＺＣＴコイル（零相変流器）４７から送られた漏電信号がノイズであるか否かがソフトウエア上で判定され、その漏電信号がノイズでないと判定された場合に、実際に漏電が発生したと判定される。【選択図】図３
2005283375.tif 000002
【特許請求の範囲】
【請求項１】
漏電を検出するための漏電検出装置において、漏電が発生した時に漏電信号を発生させるための漏電信号発生手段と、前記漏電信号発生手段から送られた漏電信号がノイズであるか否かを判定するための判定手段とを具備することを特徴とする漏電検出装置。
【請求項２】
前記漏電信号発生手段から送られた漏電信号の中期部分に基づいて、その漏電信号がノイズであるか否かを判定することを特徴とする請求項１に記載の漏電検出装置。
【請求項３】
前記漏電信号発生手段から送られた漏電信号の周期が所定範囲内に含まれるか否かに基づいて、その漏電信号がノイズであるか否かを判定することを特徴とする請求項１又は２に記載の漏電検出装置。
【請求項４】
実際の漏電信号の周期に基づいて前記所定範囲を設定することを特徴とする請求項３に記載の漏電検出装置。
【請求項５】
前記漏電検出装置が適用される装置に含まれる電気部品の動作に基づいて前記所定範囲を設定することを特徴とする請求項４に記載の漏電検出装置。
【請求項６】
前記漏電信号発生手段から所定回数以上繰り返して漏電信号が送られてきたか否かに基づいて、その漏電信号がノイズであるか否かを判定することを特徴とする請求項１〜５のいずれか一項に記載の漏電検出装置。
【請求項７】
前記漏電信号発生手段から前記所定回数繰り返して漏電信号が送られてきた場合に漏電が発生したと判定することを特徴とする請求項６に記載の漏電検出装置。
【請求項８】
請求項１〜７のいずれか一項に記載の漏電検出装置を具備する浴室空調装置。
【発明の詳細な説明】
【技術分野】
【０００１】
本発明は、漏電を検出するための漏電検出装置およびそれを具備する浴室空調装置に関し、特には、ノイズフィルタのようなハードウエアを設ける必要なく、ノイズに伴う漏電の誤検出を低減することができる漏電検出装置およびそれを具備する浴室空調装置に関する。
【背景技術】
【０００２】
従来から、漏電を検出するための漏電検出手段を具備する電源装置が知られている。この種の電源装置の例としては、例えば特開２００３−８７９６０号公報に記載されたものがある。特開２００３−８７９６０号公報に記載された電源装置では、漏電による電流の不均衡を検出するＺＣＴコイルが設けられ、ＺＣＴコイルから送られた信号が増幅されてコンパレータに入力され、そのコンパレータの出力に基づいて漏洩電流が流れているか否か、つまり、漏電が発生したか否かが判定されている。
【０００３】
ところで、ＺＣＴコイルから送られる信号にはノイズが含まれている場合がある。このノイズに基づいて漏電が発生したと判定してしまうと、実際には漏電が発生していないにもかかわらず、漏電を誤検出してしまうおそれがある。従って、従来においては、漏電の誤検出を低減するために、ＺＣＴコイルから送られる信号に含まれるノイズを除去するためのノイズフィルタがハードウエアとして設けられていた。そのため、装置全体のコストが嵩んでしまっていた。
【０００４】
【特許文献１】特開２００３−８７９６０号公報
【発明の開示】
【発明が解決しようとする課題】
【０００５】
前記問題点に鑑み、本発明は、ノイズフィルタのようなハードウエアを設ける必要なく、ノイズに伴う漏電の誤検出を低減することができる漏電検出装置およびそれを具備する浴室空調装置を提供することを目的とする。
【課題を解決するための手段】
【０００６】
請求項１に記載の発明によれば、漏電を検出するための漏電検出装置において、漏電が発生した時に漏電信号を発生させるための漏電信号発生手段と、前記漏電信号発生手段から送られた漏電信号がノイズであるか否かを判定するための判定手段とを具備することを特徴とする漏電検出装置が提供される。
【０００７】
請求項２に記載の発明によれば、前記漏電信号発生手段から送られた漏電信号の中期部分に基づいて、その漏電信号がノイズであるか否かを判定することを特徴とする請求項１に記載の漏電検出装置が提供される。
【０００８】
請求項３に記載の発明によれば、前記漏電信号発生手段から送られた漏電信号の周期が所定範囲内に含まれるか否かに基づいて、その漏電信号がノイズであるか否かを判定することを特徴とする請求項１又は２に記載の漏電検出装置が提供される。
【０００９】
請求項４に記載の発明によれば、実際の漏電信号の周期に基づいて前記所定範囲を設定することを特徴とする請求項３に記載の漏電検出装置が提供される。
【００１０】
請求項５に記載の発明によれば、前記漏電検出装置が適用される装置に含まれる電気部品の動作に基づいて前記所定範囲を設定することを特徴とする請求項４に記載の漏電検出装置が提供される。
【００１１】
請求項６に記載の発明によれば、前記漏電信号発生手段から所定回数以上繰り返して漏電信号が送られてきたか否かに基づいて、その漏電信号がノイズであるか否かを判定することを特徴とする請求項１〜５のいずれか一項に記載の漏電検出装置が提供される。
【００１２】
請求項７に記載の発明によれば、前記漏電信号発生手段から前記所定回数繰り返して漏電信号が送られてきた場合に漏電が発生したと判定することを特徴とする請求項６に記載の漏電検出装置が提供される。
【００１３】
請求項８に記載の発明によれば、請求項１〜７のいずれか一項に記載の漏電検出装置を具備する浴室空調装置が提供される。
【発明の効果】
【００１４】
請求項１に記載の漏電検出装置では、漏電信号発生手段から送られた漏電信号がノイズであるか否かを判定するための判定手段が設けられている。詳細には、漏電信号発生手段から送られた漏電信号に含まれるノイズを除去するためのハードウエアとしてノイズフィルタが設けられるのではなく、例えば漏電信号発生手段から送られた漏電信号がノイズであるか否かがソフトウエア上で判定される。次いで、漏電信号発生手段から送られた漏電信号がノイズでないと判定された場合に、実際に漏電が発生したと判定される。そのため、例えばノイズフィルタのようなハードウエアを設ける必要なく、ノイズに伴う漏電の誤検出を低減することができる。
【００１５】
漏電信号の初期部分および後期部分はその波形が乱れている可能性が高い点に鑑み、請求項２に記載の漏電検出装置では、漏電信号発生手段から送られた漏電信号の中期部分に基づいてその漏電信号がノイズであるか否かが判定される。そのため、漏電信号発生手段から送られた漏電信号の初期部分または後期部分に基づいてその漏電信号がノイズであるか否かが判定される場合よりも、漏電検出の信頼性を高めることができる。
【００１６】
漏電検出装置に適用される電源の周波数から漏電信号の周期が一義的に定まる点に鑑み、請求項３及び４に記載の漏電検出装置では、漏電信号発生手段から送られた漏電信号の周期が所定範囲内に含まれるか否かに基づいてその漏電信号がノイズであるか否かが判定される。詳細には、漏電信号の周期がその所定範囲よりも長い場合または短い場合には、その漏電信号がノイズであると判定される。そのため、漏電信号発生手段から送られた漏電信号の周期が考慮されることなくその漏電信号がノイズであるか否かが判定される場合よりも、漏電検出の信頼性を高めることができる。好ましくは、その所定範囲が、実際の漏電信号の周期に基づいて設定される。詳細には、漏電検出装置に適用される電源の周波数が６０Ｈｚの場合には実際の漏電信号の周期が１６．６７ｍｓｅｃに一義的に定まり、漏電検出装置に適用される電源の周波数が５０Ｈｚの場合には実際の漏電信号の周期が約２０ｍｓｅｃに一義的に定まる点に鑑み、例えば漏電検出装置に適用される電源の周波数が６０Ｈｚまたは５０Ｈｚであると想定される場合には、電源の周波数が６０Ｈｚの場合における実際の漏電信号の周期である１６．６７ｍｓｅｃと、電源の周波数が５０Ｈｚの場合における実際の漏電信号の周期である２０ｍｓｅｃとに基づいて、その所定範囲が例えば１０ｍｓｅｃ〜３０ｍｓｅｃに設定される。具体的には、漏電信号発生手段から送られた漏電信号の周期がその所定範囲（１０ｍｓｅｃ〜３０ｍｓｅｃ）よりも長い場合、または、その所定範囲（１０ｍｓｅｃ〜３０ｍｓｅｃ）以下の場合には、その漏電信号がノイズであると判定される。
【００１７】
実際の漏電信号の周期は、漏電検出装置に適用される電源の周波数に対応している点に鑑み、請求項５に記載の漏電検出装置では、漏電信号発生手段から送られた漏電信号の周期が所定範囲内に含まれるか否かに基づいてその漏電信号がノイズであるか否かが判定され、好ましくは、その所定範囲が、漏電検出装置が適用される装置に含まれる電気部品の動作に基づいて設定される。詳細には、例えば漏電検出装置に適用される電源の周波数が低い場合には、漏電検出装置が適用される装置に含まれる電気部品の動作が遅くなる。つまり、その電気部品の動作周期が長くなる。一方、漏電検出装置に適用される電源の周波数が高い場合には、漏電検出装置が適用される装置に含まれる電気部品の動作が速くなる。つまり、その電気部品の動作周期が短くなる。この点を考慮し、請求項５に記載の漏電検出装置では、例えば漏電検出装置が適用される装置に含まれる電気部品の動作周期が検出され、その動作周期に基づいて、漏電検出装置に適用される電源の周波数が得られ、その周波数に基づいて実際の漏電信号の周期が得られ、実際の漏電信号の周期に基づいて上記所定範囲が設定される。次いで、漏電信号発生手段から送られた漏電信号の周期がその所定範囲内に含まれるか否か判定され、その結果に基づいて、その漏電信号がノイズであるか否かが判定される。そのため、漏電検出装置に適用される電源の周波数として複数の値を想定して上記所定範囲が広めに設定される場合よりも狭い範囲に上記所定範囲を設定することができ、それにより、漏電検出の信頼性を高めることができる。
【００１８】
漏電信号発生手段から漏電信号が例えば１回送られてきただけでは、その漏電信号が実際の漏電信号である可能性が低く、その漏電信号がノイズである可能性が高い点に鑑み、請求項６に記載の漏電検出装置では、漏電信号発生手段から例えば４回のような所定回数以上繰り返して漏電信号が送られてきたか否かに基づいて、その漏電信号がノイズであるか否かが判定される。詳細には、漏電信号発生手段から例えば４回繰り返して漏電信号が送られてきた場合に、その漏電信号が実際の漏電信号であり、実際に漏電が発生したと判定される。そのため、漏電信号発生手段から例えば１回送られてきた漏電信号に基づいてその漏電信号がノイズであるか否かが判定される場合よりも、漏電検出の信頼性を高めることができる。
【００１９】
請求項７に記載の漏電検出装置では、漏電信号発生手段から所定回数繰り返して漏電信号が送られてきた場合に漏電が発生したと判定される。そのため、例えば漏電ブレーカーが作動する前に漏電が発生したと判定されるように前記所定回数を設定することにより、漏電ブレーカーが作動してしまう前に、漏電検出装置が適用された装置の運転を停止させることができる。つまり、漏電が発生した場合に、漏電ブレーカーを作動させることなく、漏電検出装置が適用された装置の運転を停止させることができる。
【００２０】
請求項８に記載の浴室空調装置では、漏電信号発生手段から送られた漏電信号がノイズであるか否かを判定するための判定手段が設けられている。詳細には、漏電信号発生手段から送られた漏電信号に含まれるノイズを除去するためのハードウエアとしてノイズフィルタが設けられるのではなく、例えば漏電信号発生手段から送られた漏電信号がノイズであるか否かがソフトウエア上で判定される。次いで、漏電信号発生手段から送られた漏電信号がノイズでないと判定された場合に、実際に漏電が発生したと判定される。そのため、例えばノイズフィルタのようなハードウエアを設ける必要なく、ノイズに伴う漏電の誤検出を低減することができる。
【発明を実施するための最良の形態】
【００２１】
図１は本発明の漏電検出装置の第１の実施形態を適用した浴室空調装置の断面図、図２は図１に示した浴室空調装置を適用した浴室などを示した図である。図１および図２において、１０は浴室空調装置、１２は浴室空調装置１０のケーシング、１３は浴室空調装置１０が適用された室内の空気を浴室空調装置１０内に吸い込むための吸気口である。１４は浴室空調装置１０内に吸い込まれた空気を室内に吹き出して循環させるための吹出口、１５は浴室空調装置１０内に吸い込まれた空気を室外に排出するための排気口、１５’は排気口１５に接続されたダクトである。Ｄは浴室空調装置１０内に吸い込まれた空気を室内に吹き出して循環させるか、あるいは、室外に排出するかを切り換えるためのダンパである。このダンパＤは電源周波数に同期して回転動作する同期モータにて駆動される構造となっている。Ｆ１は室内の空気を浴室空調装置１０内に吸い込み、その空気を室内に吹き出して循環させるか、あるいは、室外に排出するためのファンである。ＭはファンＦ１を駆動するためのモータである。Ｈは室内に吹き出して循環せしめられる空気を加熱するためのヒータである。
【００２２】
２０は浴室空調装置１０が適用された浴室、２１は浴槽、２２は洗濯物を干すためのランドリーパイプ、２３は点検口、２４は空気を浴室１０内に取り入れるためのガラリである。３０は洗面所、３１は浴室空調装置２０を操作するための操作部、３２は主幹・配線用遮断器、３３は漏電遮断器（漏電ブレーカー）、３４は分岐・配線用遮断器である。
【００２３】
第１の実施形態の漏電検出装置が適用された浴室空調装置では、室内の空気を加熱して循環させる暖房モードが設けられている。暖房モードが選択されて暖房運転が開始されると、図１に示すように、ダンパＤが実線で示す位置（Ｄ）に配置される。次いで、ファンＦ１により吸気口１３を介して浴室空調装置１０内に吸い込まれた空気が、ダンパＤによって案内され、ヒータＨによって加熱され、吹出口１４を介して室内に吹き出される。
【００２４】
更に、第１の実施形態の漏電検出装置が適用された浴室空調装置では、室内の空気を室外に排出する換気モードが設けられている。換気モードが選択されて換気運転が開始されると、図１に示すように、ダンパＤが二点鎖線で示す位置（Ｄ’）に配置される。次いで、ファンＦ１により吸気口１３を介して浴室空調装置１０内に吸い込まれた空気が、二点鎖線で示す位置（Ｄ’）に配置されたダンパＤによって案内され、排気口１５を介して室外に排出される。
【００２５】
また、第１の実施形態の漏電検出装置が適用された空調装置では、室内の空気の一部を加熱して循環させつつ、室内の空気の一部を室外に排出する乾燥モードが設けられている。乾燥モードが選択されて乾燥運転が開始されると、ダンパＤが、実線で示した位置（Ｄ）と二点鎖線で示した位置（Ｄ’）との間の位置に配置される。次いで、ファンＦ１により吸気口１３を介して浴室空調装置１０内に吸い込まれた空気の一部が、ダンパＤによって案内され、ヒータＨによって加熱され、吹出口１４を介して室内に吹き出される。更に、ファンＦ１により吸気口１３を介して浴室空調装置１０内に吸い込まれた空気の残りが、ダンパＤによって案内され、排気口１５を介して室外に排出される。この乾燥モードは、図２に示したランドリーパイプ２２にハンガー（図示せず）等を用いて洗濯物を吊るし、それを乾かす機能であり、浴室を乾燥室として利用するものである。
【００２６】
更に、第１の実施形態の漏電検出装置が適用された浴室空調装置では、室内の空気を加熱することなく循環させる涼風モードが設けられている。涼風モードが選択されて涼風運転が開始されると、乾燥運転時と同様に、ダンパＤが実線で示した位置（Ｄ）と二点鎖線で示した位置（Ｄ’）との間の位置に配置される。次いで、ファンＦ１により吸気口１３を介して浴室空調装置１０内に吸い込まれた空気が、ダンパＤによって案内され、ヒータＨによって加熱されることなく、吹出口１４を介して室内に吹き出されると共に、ファンＦ１により吸気口１３を介して浴室空調装置１０内に吸い込まれた空気の残りがダンパＤのよって案内されて排気口１５を介して室外に排出される。涼風モードは夏場などに涼しく入浴できるようにするものである。
【００２７】
図３は図１および図２に示した浴室空調装置１０に適用されている第１の実施形態の漏電検出装置の電気回路図である。図３において、４０は第１の実施形態の漏電検出装置、４２は金網、４３は金網４２を担持した枠体である。図３中では、金網４２および枠体４３がヒータＨの上側に配置されているが、実際には、金網４２および枠体４３は、ヒータＨの下側、つまり、浴槽２１側（図１および図２の下側）に配置されている。４４，４５はヒータケーブル、４６はＡＣ電源、４７はヒータケーブル４４を流れる電流Ｉａとヒータケーブル４５を流れる電流Ｉｂとの不均衡を検出するためのＺＣＴコイル（零相変流器）である。４７Ａは漏電に伴って電流Ｉａ，Ｉｂの不均衡が検出された時にＺＣＴコイル（零相変流器）４７において発生せしめられたパルス状の漏電信号を送るための信号線である。４８は漏電検出回路、４８ＡはＺＣＴコイル（零相変流器）４７から信号線４７Ａを介して漏電検出回路４８に送られたパルス状の漏電信号がノイズであるか否かを判定するための判定手段である。４９は判定手段４８Ａにおいて実際に漏電が発生したと判定された場合に漏電検出装置４０の電気回路を切断するためのスイッチ、５０はスイッチ４９を開放すべき信号を送るためのリセット回路である。１１はアース線である。
【００２８】
図３に示すように、第１の実施形態の漏電検出装置４０が適用された浴室空調装置では、例えば３個のヒータＨがＡＣ電源４６に対して並列接続されている。また、漏電検出装置４０の電気回路を切断するための漏電遮断器（漏電ブレーカー）３３、並びに、漏電遮断器３３が作動する前に漏電検出装置４０の電気回路を切断するためのスイッチ４９が、ＡＣ電源４６に対して直列接続されている。上述した暖房運転時および乾燥運転時においては、ＡＣ電源４６からヒータＨに対する通電が行われる。
【００２９】
ＡＣ電源４６からヒータＨに対する通電が行われている時に、例えばシャワーの水がかかってヒータＨが濡れると、アース線１１を介して電流Ｉｃが流れ、漏電が発生する場合がある。漏電が発生したにもかかわらず、ＡＣ電源４６からヒータＨに対する通電が続けられると、安全上の不都合のおそれが生じてしまう。そのため、第１の実施形態の漏電検出装置４０では、電流Ｉｃが流れ、漏電が発生した場合、つまり、電流Ｉａ，Ｉｂの不均衡が生じた場合に、ＡＣ電源４６からヒータＨへの通電が停止されるようになっている。具体的には、電流Ｉｃが流れると、電流Ｉｂが電流Ｉａよりも小さくなり、ＺＣＴコイル（零相変流器）４７においてパルス状の漏電信号が発生せしめられる。その漏電信号は信号線４７Ａを介して漏電検出回路４８に送られて増幅せしめられ、判定手段４８Ａにおいて、そのパルス状の漏電信号がノイズであるか否かが判定される。ＺＣＴコイル（零相変流器）４７から送られた信号がノイズではなく、実際の漏電信号であると判定された場合には、漏電検出回路４８からリセット回路５０に信号ａが送られ、リセット信号５０からの信号ｂによってスイッチ４９が開放され、漏電検出装置４０の電気回路が切断される。それにより、ＡＣ電源４６からヒータＨへの通電が停止される。
【００３０】
図４は実際に漏電が発生した場合にＺＣＴコイル（零相変流器）４７から漏電検出回路４８に送られるパルス状の漏電信号の例を示した図である。詳細には、図４（Ａ）はＡＣ電源４６の周波数が５０Ｈｚの場合における２個のパルス状の漏電信号を示した図、図４（Ｂ）は図４（Ａ）に示した２個のパルス状の漏電信号のうちの１個を拡大して示した図、図４（Ｃ）はＡＣ電源４６の周波数が６０Ｈｚの場合における２個のパルス状の漏電信号を示した図、図４（Ｄ）は図４（Ｃ）に示した２個のパルス状の漏電信号のうちの１個を拡大して示した図である。
【００３１】
図４（Ａ）および図４（Ｂ）に示すように、ＡＣ電源４６の周波数が５０Ｈｚの場合には、１個のパルス状の漏電信号の長さは約６ｍｓｅｃになり、漏電信号の周期、つまり、ある漏電信号の立下り部分からその次の漏電信号の立下り部分までの長さは２０ｍｓｅｃになる。一方、図４（Ｃ）および図４（Ｄ）に示すように、ＡＣ電源４６の周波数が６０Ｈｚの場合には、１個のパルス状の漏電信号の長さは約５ｍｓｅｃになり、漏電信号の周期、つまり、ある漏電信号の立下り部分からその次の漏電信号の立下り部分までの長さは１６．６７ｍｓｅｃになる。ＺＣＴコイル（零相変流器）４７から漏電検出回路４８に送られる実際の漏電信号は、図４（Ｂ）および図４（Ｄ）に実線で示したようなきれいな矩形状ではなく、図４（Ｂ）および図４（Ｄ）に破線で示したように漏電信号の初期部分および後期部分において漏電信号の波形が乱れている可能性が高い。そのため、第１の実施形態の漏電検出装置４０では、ＺＣＴコイル（零相変流器）４７から送られた漏電信号がノイズであるか否かを判定する場合に、後述するように、漏電信号の中期部分に基づいて判定が行われる。
【００３２】
また、第１の実施形態の漏電検出装置４０では、ＺＣＴコイル（零相変流器）４７から送られた漏電信号に含まれるノイズを除去するためのハードウエアとしてノイズフィルタが設けられるのではなく、ＺＣＴコイル（零相変流器）４７から送られたパルス状の漏電信号がノイズであるか否か、つまり、ＺＣＴコイル（零相変流器）４７から送られた漏電信号が実際の漏電信号であるか否かが、ソフトウエア上で判定される。
【００３３】
詳細には、第１の実施形態の漏電検出装置４０では、漏電検出回路４８に送られてくるある漏電信号の立下り部分からその次の漏電信号の立下り部分までの長さ、つまり、漏電信号の周期を識別するためのカウンタＣ１と、漏電検出回路４８に送られてくる漏電信号の繰り返し回数を識別するためのカウンタＣ２とが設定され、カウンタＣ１，Ｃ２の数値に基づいて、漏電検出回路４８に送られた漏電信号がノイズであるか否か、つまり、漏電検出回路４８に送られた漏電信号が実際の漏電信号であるか否かが、判定される。
【００３４】
カウンタＣ１は、基本的に、１ｍｓｅｃ毎に１増加せしめられる。また、カウンタＣ１は、パルス状の漏電信号の立下り部分（図４参照）が検出されるとゼロにリセットされ、同様に、３０カウント（Ｃ１＝３０）まで増加するとリセットされる。一方、カウンタＣ２は、漏電信号の周期が１０ｍｓｅｃを越えているパルス状の漏電信号の立下り部分（図４参照）が検出される毎に１増加せしめられ、漏電信号の周期が１０ｍｓｅｃ以下のパルス状の漏電信号の立下り部分（図４参照）が検出された場合には、強制的に１にされる。また、パルス状の漏電信号の長さが短い、つまり、パルス状の漏電信号の立下り部分と立ち上がり部分との間隔が短いために、カウンタＣ１＝２の時またはカウンタＣ１＝３の時の漏電信号がＬｏｗレベルにならない場合には、強制的にゼロにされる。
【００３５】
図５および図６は第１の実施形態の漏電検出装置４０における漏電信号の判定方法を示したフローチャートである。詳細には、図５はカウンタＣ１を制御するためのルーチン、図６はカウンタＣ２を制御するためのルーチンである。
【００３６】
図５に示すルーチンは、例えばヒータＨに対する通電が開始された後、最初にパルス状の漏電信号の立下り部分が検出された時に開始される。図５に示すように、このルーチンが開始されると、まずステップ１００において、１ｍｓｅｃが経過したか否かが判定される。ＹＥＳのときにはステップ１０１に進み、ＮＯのときにはステップ１０５に進む。ステップ１０１では、カウンタＣ１が１増加せしめられ、ステップ１０２に進む。ステップ１０２では、次のパルス状の漏電信号の立下り部分が検出されたか否かが判定される。ＹＥＳのときにはステップ１０４に進み、ＮＯのときにはステップ１０３に進む。ステップ１０３では、カウンタＣ１が３０以下であるか否かが判定される。ＹＥＳのときにはステップ１０５に進み、ＮＯのときにはステップ１０４に進む。ステップ１０４ではカウンタＣ１がゼロにクリアされ、ステップ１０５に進む。ステップ１０５では、後述する異常処理が行われているか否かが判定される。ＹＥＳのときにはこのルーチンが終了され、ＮＯのときにはステップ１００に戻り、上述したステップが繰り返される。また、例えばヒータＨに対する通電が停止された場合にも、このルーチンが終了される。
【００３７】
図６に示すルーチンは、図５に示したルーチンと同様に、例えばヒータＨに対する通電が開始された後、最初にパルス状の漏電信号の立下り部分が検出された時に開始される。図６に示すように、このルーチンが開始されると、まずステップ２００において、パルス状の漏電信号の立下り部分が検出されたか否かが判定される。ＹＥＳのときにはステップ２０１に進み、ＮＯのときにはステップ２０３に進む。ステップ２０１では、カウンタＣ２が１増加せしめられ、ステップ２０３に進む。ステップ２０３では、パルス状の漏電信号の立下り部分が検出される直前のカウンタＣ１が１０より大きいか否かが判定される。ＹＥＳのときにはステップ２０５に進む。一方、ＮＯのときには、前回検出された漏電信号の周期が実際の漏電信号の周期よりも短いため、前回検出されたパルス状の漏電信号がノイズであるとみなされ、ステップ２０４においてカウンタＣ２が１にされ、ステップ２０５に進む。
【００３８】
ステップ２０５では、カウンタＣ１が３０以下に維持されているか否かが判定される。ＹＥＳのときにはステップ２０７に進む。一方、ＮＯのとき、つまり、カウンタＣ１が３０を越えたときには、現在検出されている漏電信号の周期が実際の漏電信号の周期よりも長く、現在検出されているパルス状の漏電信号はノイズであるとみなされ、ステップ２０６においてカウンタＣ１がゼロにクリアされ、ステップ２０７に進む。ステップ２０５においてＮＯと判定されてステップ２０６が実行されると、実質的には、図５に示したステップ１０３においてＮＯと判定されてステップ１０４が実行されることになる。ステップ２０７では、カウンタＣ１＝２の時の漏電信号がＬｏｗレベルであるか否かが判定される。ＹＥＳのときにはステップ２０８に進む。一方、ＮＯのときには、今回検出されているパルス状の漏電信号の長さが実際のパルス状の漏電信号の長さよりも短いため、今回検出されているパルス状の漏電信号がノイズであるとみなされ、ステップ２０９に進む。ステップ２０８では、カウンタＣ１＝３の時の漏電信号がＬｏｗレベルであるか否かが判定される。ＹＥＳのときにはステップ２１０に進む。一方、ＮＯのときには、今回検出されているパルス状の漏電信号の長さが実際のパルス状の漏電信号の長さよりも短いため、今回検出されているパルス状の漏電信号がノイズであるとみなされ、ステップ２０９に進む。ステップ２０９では、カウンタＣ２がゼロにクリアされ、ステップ２１０に進む。
【００３９】
ステップ２１０では、カウンタＣ２が４に達したか否かが判定される。ＹＥＳのときには、実際の漏電信号が４回繰り返して送られてきたため、実際に漏電が発生したとみなし、ステップ２１１に進む。一方、ＮＯのときには、実際に漏電が発生したとみなすだけの信頼性が得られていないため、ステップ２００に戻り、上述したステップが繰り返される。ステップ２１１では、異常処理が行われ、このルーチンが終了される。具体的には、ステップ２１１では、漏電検出回路４８からリセット回路５０に信号ａが送られ、リセット信号５０からの信号ｂによってスイッチ４９が開放され、漏電検出装置４０の電気回路が切断される。それにより、ＡＣ電源４６からヒータＨへの通電が停止される。また、漏電が発生した旨が浴室空調装置１０の操作部３１に表示される。
【００４０】
図７は実際に漏電が発生したと判定される例とＺＣＴコイル（零相変流器）４７から漏電検出回路４８に送られたパルス状の漏電信号がノイズであると判定される例とを示した図である。
【００４１】
詳細には、図７（Ａ）はＡＣ電源４６の周波数が５０Ｈｚの場合にＺＣＴコイル（零相変流器）４７から漏電検出回路４８に送られたパルス状の漏電信号がノイズでないと判定され、実際に漏電が発生したと判定される例を示している。図７（Ａ）に示すように、ヒータＨに対する通電が開始された後、最初にパルス状の漏電信号の立下り部分が検出された時（Ａ１）に、図５に示したルーチンおよび図６に示したルーチンが開始される。詳細には、ステップ２００においてＹＥＳと判定されてステップ２０１が実行されることにより、カウンタＣ２は、ゼロから１増加せしめられて、１になる。その後、ステップ１００においてＹＥＳと判定されてステップ１０１が実行されることが継続され、それにより、カウンタＣ１は、１ｍｓｅｃ毎に１増加せしめられる。
【００４２】
次いで、カウンタＣ１＝２の時（Ａ２）には、ステップ２０７において漏電信号がＬｏｗレベルであると判定され、ステップ２０９が実行されることなく、カウンタＣ２は１のまま維持される。次いで、カウンタＣ１＝３の時（Ａ３）には、ステップ２０８において漏電信号がＬｏｗレベルであると判定され、ステップ２０９が実行されることなく、カウンタＣ２は１のまま維持される。
【００４３】
次いで、次のパルス状の漏電信号の立下り部分が検出された時（Ａ４）に、ステップ１０２においてＹＥＳと判定され、ステップ１０４が実行されてカウンタＣ１がゼロにされる。また、その時（Ａ４）、ステップ２００においてＹＥＳと判定され、ステップ２０１が実行されてカウンタＣ２が１から２に１増加せしめられる。この時（Ａ４）、ステップ２０３ではＹＥＳと判定されるため、ステップ２０４は実行されず、カウンタＣ２は２に維持される。
【００４４】
次いで、カウンタＣ１＝２の時（Ａ５）には、ステップ２０７において漏電信号がＬｏｗレベルであると判定され、ステップ２０９が実行されることなく、カウンタＣ２は２のまま維持される。次いで、カウンタＣ１＝３の時（Ａ６）には、ステップ２０８において漏電信号がＬｏｗレベルであると判定され、ステップ２０９が実行されることなく、カウンタＣ２は２のまま維持される。
【００４５】
次いで、次のパルス状の漏電信号の立下り部分が検出された時（Ａ７）に、ステップ１０２においてＹＥＳと判定され、ステップ１０４が実行されてカウンタＣ１がゼロにされる。また、その時（Ａ７）、ステップ２００においてＹＥＳと判定され、ステップ２０１が実行されてカウンタＣ２が２から３に１増加せしめられる。この時（Ａ７）、ステップ２０３ではＹＥＳと判定されるため、ステップ２０４は実行されず、カウンタＣ２は３に維持される。
【００４６】
次いで、カウンタＣ１＝２の時（Ａ８）には、ステップ２０７において漏電信号がＬｏｗレベルであると判定され、ステップ２０９が実行されることなく、カウンタＣ２は３のまま維持される。次いで、カウンタＣ１＝３の時（Ａ９）には、ステップ２０８において漏電信号がＬｏｗレベルであると判定され、ステップ２０９が実行されることなく、カウンタＣ２は３のまま維持される。
【００４７】
次いで、次のパルス状の漏電信号の立下り部分が検出された時（Ａ１０）に、ステップ１０２においてＹＥＳと判定され、ステップ１０４が実行されてカウンタＣ１がゼロにされる。また、その時（Ａ１０）、ステップ２００においてＹＥＳと判定され、ステップ２０１が実行されてカウンタＣ２が３から４に１増加せしめられる。この時（Ａ１０）、ステップ２１１においてＹＥＳと判定され、実際の漏電信号が４回繰り返して送られてきたために実際に漏電が発生したとみなされ、ステップ２１１において異常処理が実行される。具体的には、上述したように、漏電検出回路４８からリセット回路５０に信号ａが送られ、リセット信号５０からの信号ｂによってスイッチ４９が開放され、漏電検出装置４０の電気回路が切断される。それにより、ＡＣ電源４６からヒータＨへの通電が停止される。また、漏電が発生した旨が浴室空調装置１０の操作部３１に表示される。詳細には、漏電発生（Ａ１）から６０ｍｓｅｃ経過した時（Ａ１０）に漏電が発生したと判定することができる。例えばこの判定時（Ａ１０）から通電停止処理の完了まで１２ｍｓｅｃ要する場合にも、漏電発生（Ａ１）から７２ｍｓｅｃ経過した時には通電を停止させることができる。ＡＣ電源の周波数が６０Ｈｚの場合には、漏電発生から５０ｍｓｅｃ経過した時に漏電が発生したと判定することができる。
【００４８】
図７（Ｂ）はＺＣＴコイル（零相変流器）４７から漏電検出回路４８に送られたパルス状の漏電信号の周期、つまり、あるパルス状の漏電信号の立下り部分からその次のパルス状の漏電信号の立下り部分までの長さが短いために、その漏電信号がノイズであると判定される例を示している。図７（Ｂ）に示すように、ヒータＨに対する通電が開始された後、最初にパルス状の漏電信号の立下り部分が検出された時（Ｂ１）に、図５に示したルーチンおよび図６に示したルーチンが開始される。詳細には、ステップ２００においてＹＥＳと判定されてステップ２０１が実行されることにより、カウンタＣ２は、ゼロから１増加せしめられて、１になる。その後、ステップ１００においてＹＥＳと判定されてステップ１０１が実行されることが継続され、それにより、カウンタＣ１は、１ｍｓｅｃ毎に１増加せしめられる。
【００４９】
次いで、カウンタＣ１＝２の時（Ｂ２）には、ステップ２０７において漏電信号がＬｏｗレベルであると判定され、ステップ２０９が実行されることなく、カウンタＣ２は１のまま維持される。次いで、カウンタＣ１＝３の時（Ｂ３）には、ステップ２０８において漏電信号がＬｏｗレベルであると判定され、ステップ２０９が実行されることなく、カウンタＣ２は１のまま維持される。
【００５０】
次いで、次のパルス状の漏電信号の立下り部分が検出された時（Ｂ４）に、ステップ１０２においてＹＥＳと判定され、ステップ１０４が実行されてカウンタＣ１がゼロにされる。また、その時（Ｂ４）、ステップ２００においてＹＥＳと判定され、ステップ２０１が実行されてカウンタＣ２が１から２に１増加せしめられる。ところが、この時（Ｂ４）、ステップ２０３ではＮＯと判定されるため、ステップ２０４が実行され、カウンタＣ２は１に戻される。すなわち、ステップ２０３では、パルス状の漏電信号の立下り部分（Ｂ１）から次のパルス状の漏電信号の立下り部分（Ｂ４）までの長さ、つまり、パルス状の漏電信号の周期が短いために、その漏電信号がノイズであると判定される。
【００５１】
次いで、カウンタＣ１＝２の時（Ｂ５）には、ステップ２０７において漏電信号がＬｏｗレベルであると判定され、ステップ２０９が実行されることなく、カウンタＣ２は１のまま維持される。次いで、カウンタＣ１＝３の時（Ｂ６）には、ステップ２０８において漏電信号がＬｏｗレベルであると判定され、ステップ２０９が実行されることなく、カウンタＣ２は１のまま維持される。
【００５２】
次いで、次のパルス状の漏電信号の立下り部分が検出された時（Ｂ７）に、ステップ１０２においてＹＥＳと判定され、ステップ１０４が実行されてカウンタＣ１がゼロにされる。また、その時（Ｂ７）、ステップ２００においてＹＥＳと判定され、ステップ２０１が実行されてカウンタＣ２が１から２に１増加せしめられる。ところが、この時（Ｂ７）、ステップ２０３ではＮＯと判定されるため、ステップ２０４が実行され、カウンタＣ２は１に戻される。すなわち、ステップ２０３では、パルス状の漏電信号の立下り部分（Ｂ４）から次のパルス状の漏電信号の立下り部分（Ｂ７）までの長さ、つまり、パルス状の漏電信号の周期が短いために、その漏電信号がノイズであると判定される。
【００５３】
図７（Ｃ）はＺＣＴコイル（零相変流器）４７から漏電検出回路４８に送られたパルス状の漏電信号の周期、つまり、あるパルス状の漏電信号の立下り部分からその次のパルス状の漏電信号の立下り部分までの長さが長いために、その漏電信号がノイズであると判定される例を示している。図７（Ｃ）に示すように、ヒータＨに対する通電が開始された後、最初にパルス状の漏電信号の立下り部分が検出された時（Ｄ１）に、図５に示したルーチンおよび図６に示したルーチンが開始される。詳細には、ステップ２００においてＹＥＳと判定されてステップ２０１が実行されることにより、カウンタＣ２は、ゼロから１増加せしめられて、１になる。その後、ステップ１００においてＹＥＳと判定されてステップ１０１が実行されることが継続され、それにより、カウンタＣ１は、１ｍｓｅｃ毎に１増加せしめられる。
【００５４】
次いで、カウンタＣ１＝２の時（Ｄ２）には、ステップ２０７において漏電信号がＬｏｗレベルであると判定され、ステップ２０９が実行されることなく、カウンタＣ２は１のまま維持される。次いで、カウンタＣ１＝３の時（Ｄ３）には、ステップ２０８において漏電信号がＬｏｗレベルであると判定され、ステップ２０９が実行されることなく、カウンタＣ２は１のまま維持される。
【００５５】
次いで、カウンタＣ１が３０を越えた時（Ｄ４）に、ステップ２０５においてＮＯと判定され、ステップ２０６においてカウンタＣ１がゼロにクリアされる。実質的には、カウンタＣ１が３０を越えた時（Ｄ４）に、ステップ１０３においてＮＯと判定され、ステップ１０４が実行されてカウンタＣ１がゼロにクリアされる。
【００５６】
次いで、カウンタＣ１＝２の時（Ｄ５）には、ステップ２０７において漏電信号がＬｏｗレベルでないと判定され、ステップ２０９が実行されてカウンタＣ２がゼロにクリアされる。次いで、カウンタＣ１＝３の時（Ｄ６）には、ステップ２０８において漏電信号がＬｏｗレベルでないと判定され、ステップ２０９が実行されてカウンタＣ２がゼロにクリアされる。
【００５７】
つまり、カウンタＣ１が、３０を越えてゼロにクリアされ（Ｄ４）、その後のカウンタＣ１＝２の時（Ｄ５）に漏電信号がＬｏｗレベルでない場合には、現在検出されている漏電信号の周期が実際の漏電信号の周期よりも長く、現在検出されているパルス状の漏電信号はノイズであるとみなされる。
【００５８】
図７（Ｄ）はＺＣＴコイル（零相変流器）４７から漏電検出回路４８に送られたパルス状の漏電信号の長さが短い、つまり、パルス状の漏電信号の立下り部分と立ち上がり部分との間隔が短いために、その漏電信号がノイズであると判定される例を示している。図７（Ｄ）に示すように、ヒータＨに対する通電が開始された後、最初にパルス状の漏電信号の立下り部分が検出された時（Ｅ１）に、図５に示したルーチンおよび図６に示したルーチンが開始される。詳細には、ステップ２００においてＹＥＳと判定されてステップ２０１が実行されることにより、カウンタＣ２は、ゼロから１増加せしめられて、１になる。その後、ステップ１００においてＹＥＳと判定されてステップ１０１が実行されることが継続され、それにより、カウンタＣ１は、１ｍｓｅｃ毎に１増加せしめられる。
【００５９】
次いで、カウンタＣ１＝２の時（Ｅ２）には、ステップ２０７において漏電信号がＬｏｗレベルでないと判定され、ステップ２０９が実行されてカウンタＣ２がゼロにクリアされる。次いで、カウンタＣ１＝３の時（Ｅ３）には、ステップ２０８において漏電信号がＬｏｗレベルでないと判定され、ステップ２０９が実行されてカウンタＣ２がゼロにクリアされる。
【００６０】
つまり、パルス状の漏電信号の立下り部分が検出され（Ｅ１）、その後のカウンタＣ１＝２の時（Ｅ２）に漏電信号がＬｏｗレベルでない場合には、検出されたパルス状の漏電信号の長さが実際のパルス状の漏電信号の長さよりも短く、検出されたパルス状の漏電信号はノイズであるとみなされる。
【００６１】
第１の実施形態の漏電検出装置４０が適用された浴室空調装置１０では、図３に示したように、漏電信号発生手段としてのＺＣＴコイル（零相変流器）４７から送られた漏電信号がノイズであるか否かを判定するための判定手段４８Ａが設けられている。詳細には、漏電信号発生手段としてのＺＣＴコイル（零相変流器）４７から送られた漏電信号に含まれるノイズを除去するためのハードウエアとしてノイズフィルタが設けられるのではなく、漏電信号発生手段としてのＺＣＴコイル（零相変流器）４７から送られた漏電信号がノイズであるか否かが、ステップ２０３、ステップ２０５、ステップ２０７、および、ステップ２０８において判定される。次いで、漏電信号発生手段としてのＺＣＴコイル（零相変流器）４７から送られた漏電信号がノイズでないとそれらのステップにおいて判定された場合に、実際に漏電が発生したと判定される。そのため、例えばノイズフィルタのようなハードウエアを設ける必要なく、ノイズに伴う漏電の誤検出を低減することができる。
【００６２】
また、第１の実施形態の漏電検出装置４０が適用された浴室空調装置１０では、漏電信号発生手段としてのＺＣＴコイル（零相変流器）４７から送られた漏電信号の中期部分（図４（Ｂ）および図４（Ｄ）参照）に基づいて、その漏電信号がノイズであるか否かが、ステップ２０７およびステップ２０８において判定される。そのため、漏電信号発生手段としてのＺＣＴコイル（零相変流器）４７から送られた漏電信号の初期部分または後期部分（図４（Ｂ）および図４（Ｄ）参照）に基づいて、その漏電信号がノイズであるか否かが判定される場合よりも、漏電検出の信頼性を高めることができる。
【００６３】
更に、第１の実施形態の漏電検出装置４０が適用された浴室空調装置１０では、漏電信号発生手段としてのＺＣＴコイル（零相変流器）４７から送られた漏電信号の周期が所定範囲（１０ｍｓｅｃ〜３０ｍｓｅｃ）内に含まれるか否かに基づいて、その漏電信号がノイズであるか否かが、ステップ２０３およびステップ２０５において判定される。詳細には、漏電信号の周期がその所定範囲（１０ｍｓｅｃ〜３０ｍｓｅｃ）よりも長い場合または短い場合には、その漏電信号がノイズであるとみなされる。詳細には、その所定範囲（１０ｍｓｅｃ〜３０ｍｓｅｃ）が、実際のパルス状の漏電信号の周期に基づいて設定される。すなわち、図４に示したように、漏電検出装置４０に適用されるＡＣ電源４６の周波数が６０Ｈｚの場合には実際のパルス状の漏電信号の周期が１６．６７ｍｓｅｃに一義的に定まり、漏電検出装置４０に適用されるＡＣ電源４６の周波数が５０Ｈｚの場合には実際のパルス状の漏電信号の周期が約２０ｍｓｅｃに一義的に定まる点に鑑み、ＡＣ電源４６の周波数が６０Ｈｚの場合における実際のパルス状の漏電信号の周期である１６．６７ｍｓｅｃと、ＡＣ電源４６の周波数が５０Ｈｚの場合における実際のパルス状の漏電信号の周期である２０ｍｓｅｃとに基づいて、その所定範囲が１０ｍｓｅｃ〜３０ｍｓｅｃに設定される。具体的には、漏電信号発生手段としてのＺＣＴコイル（零相変流器）４７から送られたパルス状の漏電信号の周期がその所定範囲（１０ｍｓｅｃ〜３０ｍｓｅｃ）よりも長い場合にはステップ２０５において、その所定範囲（１０ｍｓｅｃ〜３０ｍｓｅｃ）以下の場合にはステップ２０３において、その漏電信号がノイズであるとみなされる。そのため、漏電信号発生手段としてのＺＣＴコイル（零相変流器）４７から送られた漏電信号の周期が考慮されることなくその漏電信号がノイズであるか否かが判定される場合よりも、漏電検出の信頼性を高めることができる。
【００６４】
また、第１の実施形態の漏電検出装置４０が適用された浴室空調装置１０では、漏電信号発生手段としてのＺＣＴコイル（零相変流器）４７から４回以上繰り返して漏電信号が送られてきたか否かに基づいて、その漏電信号がノイズであるか否かが、ステップ２１０において判定される。詳細には、漏電信号発生手段としてのＺＣＴコイル（零相変流器）４７から４回繰り返して漏電信号が送られてきた場合に、その漏電信号が実際の漏電信号であり、実際に漏電が発生したと判定される。そのため、漏電信号発生手段としてのＺＣＴコイル（零相変流器）４７から例えば１回送られてきた漏電信号に基づいてその漏電信号がノイズであるか否かが判定される場合よりも、漏電検出の信頼性を高めることができる。
【００６５】
更に、第１の実施形態の漏電検出装置４０が適用された浴室空調装置１０では、漏電信号発生手段としてのＺＣＴコイル（零相変流器）４７から４回繰り返して漏電信号が送られてきた場合に漏電が発生したとステップ２１０において判定される。詳細には、漏電ブレーカー３３が作動する前に漏電が発生したとステップ２１０において判定されるように、４回という回数が設定されている。そのため、漏電ブレーカー３３が作動してしまう前、つまり、漏電発生から例えば１００ｍｓｅｃ経過する前に、漏電検出装置４０が適用されたヒータＨへの通電を停止させることができる。つまり、漏電が発生した場合に、漏電ブレーカーを作動させることなく、漏電検出装置４０が適用されたヒータＨへの通電を停止させることができる。
【００６６】
上述した第１の実施形態では、漏電が発生した場合にヒータＨへの通電が停止されるが、第１の実施形態の変形例では、漏電が発生した場合に浴室空調装置１０全体への通電を停止することも可能である。
【００６７】
以下、本発明の漏電検出装置の第２の実施形態について説明する。第２の実施形態の漏電検出装置は、後述する点を除き、上述した第１の実施形態の漏電検出装置とほぼ同様に構成されている。そのため、上述した第１の実施形態の漏電検出装置とほぼ同様の効果を奏することができる。
【００６８】
上述したように、第１の実施形態の漏電検出装置４０が適用された浴室空調装置１０では、漏電信号発生手段としてのＺＣＴコイル（零相変流器）４７から送られた漏電信号の周期が所定範囲（１０ｍｓｅｃ〜３０ｍｓｅｃ）内に含まれるか否かに基づいて、その漏電信号がノイズであるか否かが、ステップ２０３およびステップ２０５において判定される。つまり、第１の実施形態の漏電検出装置４０が適用された浴室空調装置１０では、漏電信号発生手段としてのＺＣＴコイル（零相変流器）４７から送られた漏電信号が実際の漏電信号であるか否かを判定するための漏電信号の周期の閾値が１０ｍｓｅｃおよび３０ｍｓｅｃに固定して設定されている。一方、第２の実施形態の漏電検出装置が適用された浴室空調装置では、図１に示したダンパＤの一往復に要する回動動作の周期が検出され、その動作周期に基づいて、漏電検出装置に適用されるＡＣ電源４６の周波数が算出され、その周波数に基づいて実際の漏電信号の周期（図４参照）が得られ、実際の漏電信号の周期に基づいて、判定用の周期の閾値が設定される。例えば漏電信号発生手段としてのＺＣＴコイル（零相変流器）４７から送られる実際の漏電信号の周期が２０ｍｓｅｃである場合には、例えば１５ｍｓｅｃおよび２５ｍｓｅｃが判定用の周期の閾値として設定される。また、例えば漏電信号発生手段としてのＺＣＴコイル（零相変流器）４７から送られる実際の漏電信号の周期が１６．６７ｍｓｅｃである場合には、例えば１０ｍｓｅｃおよび２０ｍｓｅｃが判定用の周期の閾値として設定される。つまり、漏電検出装置に適用されるＡＣ電源４６の周波数に応じて、判定用の周期の閾値が変更される。そのため、漏電検出装置に適用される電源の周波数として複数の値を想定して２つの閾値の幅が広めに設定される場合よりも２つの閾値の幅を狭く設定することができ、それにより、漏電検出の信頼性を高めることができる。
【００６９】
上述した第１および第２の実施形態では、漏電信号発生手段としてＺＣＴコイル（零相変流器）４７が用いられているが、第３の実施形態では、漏電信号発生手段として他の任意の機器を用いることができる。例えばアース線１１を流れる電流Ｉｃに基づいて漏電信号を発生させることも可能である。
【図面の簡単な説明】
【００７０】
【図１】本発明の漏電検出装置の第１の実施形態を適用した浴室空調装置の断面図である。
【図２】図１に示した浴室空調装置を適用した浴室などを示した図である。
【図３】図１および図２に示した浴室空調装置１０に適用されている第１の実施形態の漏電検出装置の電気回路図である。
【図４】実際に漏電が発生した場合にＺＣＴコイル（零相変流器）４７から漏電検出回路４８に送られるパルス状の漏電信号の例を示した図である。
【図５】第１の実施形態の漏電検出装置４０における漏電信号の判定方法を示したフローチャートである。
【図６】第１の実施形態の漏電検出装置４０における漏電信号の判定方法を示したフローチャートである。
【図７】実際に漏電が発生したと判定される例とＺＣＴコイル（零相変流器）４７から漏電検出回路４８に送られたパルス状の漏電信号がノイズであると判定される例とを示した図である。
【符号の説明】
【００７１】
１０    浴室空調装置
Ｄ      ダンパ
Ｈ      ヒータ
３３    漏電遮断器（漏電ブレーカー）
４０    漏電検出装置
４７    ＺＣＴコイル（零相変流器）
４８    漏電検出回路
４８Ａ  判定手段
４９    スイッチ
５０    リセット回路
【図１】
2005283375.tif 000003
【図２】
2005283375.tif 000004
【図３】
2005283375.tif 000005
【図４】
2005283375.tif 000006
【図５】
2005283375.tif 000007
【図６】
2005283375.tif 000008
【図７】
2005283375.tif 000009